(57)【要約】【課題】ハンドルを回転させることなく押し引きすることで、通常閉鎖の扉を開放状態とし、また、通常閉鎖の扉を扉枠に押付状態とすることができる扉の閉鎖機構を提供する。【解決手段】ラッチ機構４は、扉枠２に設けたフック部材６と、フック部材６と係脱可能で扉３に設けられる係合部材７を備えている。扉３に設けた操作ハンドル５を押引きすることでフック部材６と係合部材７の係合を解除可能に連繋する。また、閉扉状態で操作ハンドル５の押し操作により係合部材７とフック部材６との係合部７ａを支点として扉３を扉枠２に押し付け可能とし、更に、扉押付け状態で係止部材７の戻り回動を逆止する逆止部材１３ａを係脱可能に設けた。【選択図】  図４
2004270139.tif 000002
【特許請求の範囲】
【請求項１】
扉枠に先端が扉側に突出するように付勢されたフック部材を回動自在に設け、扉の先端部にフック部材と係脱可能な係合部材を設けてラッチ機構を構成し、扉を閉じると係合部材がフック部材に係合し、扉に設けた操作ハンドルの操作により係合部材とフック部材の係合を解除する扉の閉鎖装置において、扉の先端部に前記係合部材を回動可能に設けると共に操作ハンドルを押し引き回動可能に設け、係合部材と操作ハンドルを閉扉状態で操作ハンドルの押し操作により係合部材を回動させてフック部材との係合部を支点にして扉を扉枠に押し付け可能に連繋し、更に、扉の先端部には扉押付け位置に回動された係合部材に係合して戻り回動を逆止する逆止部材を設け、操作ハンドルには引き操作により逆止部材の逆止を解除可能な解除部材を設けて成る扉の閉鎖装置。
【請求項２】
扉の先端部にロック部材を扉枠に対して遠近移動可能に設けると共に突出方向へ付勢し、ロック部材の先端部に扉枠に係脱してロック部材を没入移動させる当接部材を設け、ロック部材と操作ハンドルにはロック部材が突出方向へ移動した位置で係合しかつロック部材が没入方向へ移動した位置で離脱するロック係合部を夫々設け、扉の開放状態で操作ハンドルの回動が阻止され、扉の閉鎖状態で操作ハンドルの回動が許容されるようにした請求項１記載の扉の閉鎖装置。
【請求項３】
扉の先端部に係合部材の中間部を回動可能に設け、係合部材の扉枠側の一端部にフック部材と係合可能な係合部を設けると共に他端部に係止部を設け、扉に係合部材の係止部に向けて遠近移動可能でかつ係止部方向へ付勢されている逆止部材を設け、逆止部材の先端部には、係合部材の係止部に係合して係合部材の戻り回動を逆止可能な逆止部と、操作ハンドルの解除部材に係合して係合部材の逆止を解除可能な解除部を設けて成る請求項１又は２記載の扉の閉鎖装置。
【請求項４】
扉の先端部にフック部材を押戻す押戻し部材をフック部材に対して遠近移動可能に設け、押戻し部材と操作ハンドルとを操作ハンドルの引き操作により押戻し部材が扉枠方向へ移動してフック部材を押戻すように連繋して成る請求項１乃至３の何れかに記載の扉の閉鎖装置。
【請求項５】
扉と操作ハンドルの間に操作ハンドルを中間位置に戻すようにした戻しばねを設けて成る請求項１乃至４の何れかに記載の扉の閉鎖装置。
【発明の詳細な説明】
【０００１】
【発明の属する技術分野】
本発明は、扉枠に先端が扉側に突出するように付勢されたフック部材を回動自在に設け、扉の先端部にフック部材と係脱可能な係合部材を設けてラッチ機構を構成し、扉を閉じると係合部材がフック部材に係合し、扉に設けた操作ハンドルの操作により係合部材とフック部材の係合を解除する扉の閉鎖機構に関するものである。
【０００２】
【従来の技術】
扉の閉鎖機構として、特許文献１のものが知られている。これは、扉枠にラッチ付きストライクを設けてあり、そのラッチ付きストライクのラッチ（フック部材）が扉枠から突出するようになっている。扉には、前記ラッチと係脱可能なラッチ係入孔が設けられた錠装置（係合部材）が取り付けられている。その錠装置とラッチとで構成されたラッチ機構により、扉を閉扉状態に錠止（扉の通常閉鎖）することができる。扉の閉扉状態において、扉のハンドル（ドアノブ）を回動操作すると、ラッチがラッチ係入孔から押し出されて、扉を開扉可能になる。また、特許文献２には、扉に設置したラッチボルトと固定枠体（扉枠）に設置した受金とから成るラッチ機構を介して、扉を閉鎖位置に錠止することができる。そして、扉が閉鎖位置に錠止された状態において、扉に設けたハンドルを解錠方向に回転すると、扉を開放状態とすることができる。また、扉が閉鎖位置に錠止された状態において、前記ハンドルを施錠方向（解錠方向とは逆方向）に回転すると、扉を固定枠体（扉枠）に押付状態とすることができる。
【０００３】
【特許文献１】
特開平１０−１８６６１号公報
【特許文献２】
特開２００１−１３２３０４号公報
【０００４】
【発明が解決しようとする課題】
特許文献１では、閉扉状態から開扉状態とする場合には、扉のハンドルを握って回動回転しなければならない。また、特許文献２でも、通常閉鎖の扉を開放する場合や、通常閉鎖の扉を扉枠に押付状態とする場合には、扉に設けたハンドルを握って解錠（施錠）方向に回転しなければならない。そのために、ハンドルを回転させることが困難な者（例えば手の不自由な者や握力が低下した老人等）においては、通常閉鎖の扉を開放したり、通常閉鎖の扉を扉枠に押付状態とすることが容易ではない。また、健常者であっても、両手が使えない場合には、ハンドルを握って回転させることが出来ない。
そこで、本発明の課題は、ハンドルを回転させることなく、通常閉鎖の扉を開放状態とし、また、通常閉鎖の扉を扉枠に押付状態とすることができる扉の閉鎖機構を提供することを課題としている。
【０００５】
【課題を解決するための手段】
本発明の請求項１は、上記課題を解決するために、扉枠に先端が扉側に突出するように付勢されたフック部材を回動自在に設け、扉の先端部にフック部材と係脱可能な係合部材を設けてラッチ機構を構成し、扉を閉じると係合部材がフック部材に係合し、扉に設けた操作ハンドルの操作により係合部材とフック部材の係合を解除する扉の閉鎖装置において、扉の先端部に前記係合部材を回動可能に設けると共に操作ハンドルを押し引き回動可能に設け、係合部材と操作ハンドルを閉扉状態で操作ハンドルの押し操作により係合部材を回動させてフック部材との係合部を支点にして扉を扉枠に押し付け可能に連繋し、更に、扉の先端部には扉押付け位置に回動された係合部材に係合して戻り回動を逆止する逆止部材を設け、操作ハンドルには引き操作により逆止部材の逆止を解除可能な解除部材を設けて成る。これによれば、操作ハンドルの押し引きにより扉の開閉及び押し付けを行うことがきるので操作が簡単である。また、逆止め部材の係合により係合部材が逆止されるので、確実に扉と扉枠との押し付け状態が維持される。
【０００６】
また、本発明の請求項２は、扉の先端部にロック部材を扉枠に対して遠近移動可能に設けると共に突出方向へ付勢し、ロック部材の先端部に扉枠に係脱してロック部材を没入移動させる当接部材を設け、ロック部材と操作ハンドルにはロック部材が突出方向へ移動した位置で係合しかつロック部材が没入方向へ移動した位置で離脱するロック係合部を夫々設け、扉の開放状態で操作ハンドルの回動が阻止され、扉の閉鎖状態で操作ハンドルの回動が許容されるようにした。これによれば、扉の開放状態では逆止部材が係合部材に係合する誤操作を阻止できる。
【０００７】
また、本発明の請求項３は、扉の先端部に係合部材の中間部を回動可能に設け、係合部材の扉枠側の一端部にフック部材と係合可能な係合部を設けると共に他端部に係止部を設け、扉に係合部材の係止部に向けて遠近移動可能でかつ係止部方向へ付勢されている逆止部材を設け、逆止部材の先端部には、係合部材の係止部に係合して係合部材の戻り回動を逆止可能な逆止部と、操作ハンドルの解除部材に係合して係合部材の逆止を解除可能な解除部を設けて成る。これによれば、扉の押し付け状態の維持及び解放を簡易な機構により安価に実施できる。
【０００８】
また、本発明の請求項４は、扉の先端部にフック部材を押戻す押戻し部材をフック部材に対して遠近移動可能に設け、押戻し部材と操作ハンドルとを操作ハンドルの引き操作により押戻し部材が扉枠方向へ移動してフック部材を押戻すように連繋して成る。好適には、押戻し部材のフック部材と当接する部分がフック部材と対向する押戻し平面に形成されていることで、押戻し平面がフック部材の最突出部分に当接してフック部材を押戻すので、確実な扉を開放を行うことができる。
また、本発明の請求項５では、扉と操作ハンドルの間に操作ハンドルを中間位置に戻すようにした戻しばねを設けて成る。これによれば、操作ハンドルを押し引き回動させた状態で手を放せば操作ハンドルが中間位置に戻るので好ましい。
【０００９】
【発明の実施の形態】
本願発明の実施の形態について図１〜図１４に基づいて説明する。扉の閉鎖装置１は、扉枠２と、その扉枠２に開閉自在に蝶着された扉３との間に介在されたラッチ機構４を、扉３に設けた操作ハンドル５を操作することにより解除し、また、その操作ハンドル５の操作により前記ラッチ機構４を介して扉３を扉枠２に押付状態とするものである。前記ラッチ機構４は、扉３の戸先部分の上下方向中間に設けてあり、扉枠２（竪枠２ａ）に回動自在に支持されたフック部材６と、扉３に中間部を回動可能に設けた係合部材７とを備えている。フック部材６は、ばね部材８によって扉３の開扉方向に付勢されており、竪枠２ａからその先端６ａが扉３側に向けて突出している。
【００１０】
係合部材７は、図３に示すように、その竪枠２ａ側の一端部に係合部７ａが形成されており、扉３の通常閉鎖（図１の状態）により係合部７ａが一時的に押し戻された後フック部材６と係合するようになっている。係合部材７の他端部には、開扉方向側が直角に切欠かれ係止部７ｄが形成されている。この係合部材７は、扉３に取り付けられたケース９のケース下板９ａに前記フック部材６の回動軸線と平行に設けられている支持軸１０に揺動自在に支持されている。
【００１１】
また、支持軸１０には、操作ハンドル５を構成するカム体１１の竪枠２ａ側の一端部が係合部材７と別々に揺動自在に支持されている。このカム体１１には、押し引きハンドル部材５ａが一体に取り付けられて操作ハンドル５を構成しており、操作ハンドル５は、図４に示すように、支持軸１０を揺動中心として中立位置Ａとその両側で所定角度揺動した２つの揺動端位置Ｂ，Ｃとに揺動する。カム体１１の他端上部には、ロック係合部としてのロック係合溝１１ａが形成されている（図４）。カム体１１の他端下部には、吊元方向に向けて突出する解除部材２４が設けられている。解除部材２４は、図４、図１２に示すように、側面が竪枠２ａ方向に向けて広がる傾斜面に形成されており、開扉方向側の解除傾斜面２４ａは、操作ハンドル５を引き操作することにより揺動端位置（解錠位置）Ｂに揺動したとき、後述の逆止部材１３の係合部材７への係合による逆止を解除可能となっている。
【００１２】
また、カム体１１の他端下部には、２つの突起部１２ａ，１２ｂから成る動作カム１２が設けられている。突起部１２ａ，１２ｂ間に、係合部材７の後部が所定の隙間を持って配置されている。第１突起部１２ａは、操作ハンドル５が中立位置Ａにある状態（図３）において、通常の係止位置Ｐ１にある係合部材側面７ｂに当接するように形成されている。第２突起部１２ｂは、押し引きハンドル５が一方の揺動端位置Ｂにある状態（図９）において、通常の係止位置Ｐ１にある係合部材側面７ｃに当接するように形成されている。また、カム体１１とケース後板９ｂ間には、図２、図４に示すように、戻しばね２９が介装されており、操作ハンドル５を中立位置Ａに弾性的に保持するようにカム体１１を付勢している。
【００１３】
操作ハンドル５を中立位置Ａから一方の揺動端位置Ｂに揺動させた場合では、図８、図９に示すように、第１、第２突起部１２ａ，１２ｂにより、通常の係止位置Ｐ１にある係合部材７は回動しない。そして、一方の揺動端位置Ｂから中立位置Ａに揺動させた場合でも、第１、第２突起部１２ａ，１２ｂにより、通常の係止位置Ｐ１にある係合部材７は回動しない。次に、操作ハンドル５を中立位置Ａから他方の揺動端位置（扉押付位置）Ｃに揺動させた場合では、図１０、図１１に示すように、第１突起部１２ａにより、通常の係止位置Ｐ１にある係合部材側面７ｂが押されて、係合部材７は押付位置Ｐ２へと回動する。また、押付位置Ｐ２にある係合部材７に対して操作ハンドル５を他方の揺動端位置Ｃから中立位置Ａに揺動させた場合では、第１、第２突起部１２ａ，１２ｂにより、押付位置Ｐ２にある係合部材７は回動しないが、一方の揺動端位置Ｂまで揺動させた場合では、第２突起部１２ｂにより、係合部材７は回動して通常の係止位置Ｐ１に戻る（図３）。
【００１４】
ケース後板９ｂには、逆止手段１３が取り付けてある。逆止手段１３には、逆止部材１３ａが係合部材７の係止部７ｄに向けて遠近移動可能でかつ付勢されている。逆止部材１３ａは係合部材７が通常の係止位置Ｐ１にある場合、逆止部材１３ａの先端面が係合部材７の後端面に当接するようになっている。また、逆止部材１３ａの先端部分は、図１２に示すように逆止部１３ｂと、逆止部１３ｂの上部に傾斜面に形成された解除部１３ｃとが形成されている。逆止部１３ｂは、図１０、図１１に示すように、操作ハンドル５が他方の揺動端位置Ｃに揺動されて、押付位置Ｐ２に回動した係合部材７の係止部７ｄと係合して係合部材７の戻り回動を逆止可能となっている。解除部１３ｃは、操作ハンドル５が他方の揺動端位置Ｃから一方の揺動端位置Ｂに向けて揺動されると、解除部材２４の解除傾斜面２４ａが押し付けられて逆止部材１３ａを付勢力に抗して係止部７ｄから離れる方向に移動し逆止を解除するようになっている。
【００１５】
前記ケース９のケース上板９ｃには、支持軸１０と平行に第１軸部材１４の上端が嵌着されている。その第１軸部材１４には、図５、図６に示すように、扇形状の作動カム１５が揺動自在に支持されている。作動カム１５には周面から第１軸部材１４に向けて伸びる第１係合溝１５ａと第２係合溝１５ｂが形成されており、第１係合溝１５ａには、カム体１１の上部に垂設した突起軸１１ｂが係合している。ケース９の中間でカム体１１の上方にはケース中間板９ｄが設けられており（図７）、そのケース中間板９ｄの上方には、押戻し部材１６が配置され、更にその押戻し部材１６とケース上板９ｃ間にはロック部材２５が配置されている。
【００１６】
押戻し部材１６の吊元側の他端部（後端部）には、第２軸部材１７が嵌め込まれている。第２軸部材１７の一方の端部（上端部）は、ロック部材２５の後端部に形成した第１貫通長孔２５ａを貫通してケース上板９ｃに設けた第１長孔１８に係合し、もう一方の端部（下端部）は、作動カム１５の第２係合溝１５ｂを貫通してケース中間板９ｄに設けた第２長孔１９に係合している。また、押戻し部材１６の竪枠２ａ側の一端部（先端部）には、第３軸部材２０が嵌入されており、第３軸部材２０の一方の端部（上端部）は、ロック部材２５の先端部に形成した第２貫通長孔２５ｂを貫通してケース上板９ｃに設けた第３長孔２１に係合し、もう一方の端部（下端部）は、ケース中間板９ｄに設けた第４長孔２２に係合している。押戻し部材１６のフック部材６と対向する先端面は、フック部材６の最突出部分と当接する押戻し平面１６ａに形成されいる。
【００１７】
このことから、図８に示すように、操作ハンドル５を中立位置Ａから一方の揺動端位置Ｂに揺動すると、カム体１１の突起軸１１ｂを介して作動カム１５が揺動し、作動カム１５の揺動により第２軸部材１７が第１，２長孔１８，１９に沿って扉３の戸先方向に向けて移動する。これにより、押戻し部材１６は第３軸部材２０が第３，４長孔２１，２２に沿って案内されることで扉３の戸先方向に移動する。次に、図１０に示すように、押し引きハンドル５を中立位置Ａから他方の揺動端位置Ｃに揺動すると、カム体１１の突起軸１１ｂを介して作動カム１５が揺動し、作動カム１５の揺動により第２軸部材１７が第１，２長孔１８，１９に沿って扉３の吊元方向に向けて移動する。そして、押戻し部材１６は第３軸部材２０が第３，４長孔２１，２２に沿って案内されることで扉３の吊元方向に移動する。尚、本実施形態では、押戻し部材１６の扉３の戸先方向への移動量を、押戻し平面１６ａが扉３の端面３ａと略同一位置となるように設定してある。
【００１８】
ロック部材２５は、竪枠２ａに対して遠近移動可能に設けられており、図２、図６に示すように、ロック部材２５とケース後板９ｂ間に介装された付勢部材２６によって突出方向へ付勢されている。ロック部材２５の先端部には竪枠２ａに係脱してロック部材２５を没入移動させる当接部材２７が設けられている。当接部材２７は、回動可能に軸支された当接ローラである。ロック部材２５の後端部には、下方に向けて垂下されたロック係合部としてのロック係合片２８が設けられている。このロック係合片２８は、前記カム体１１のロック係合溝１１ａに係脱可能となっている。
【００１９】
このロック部材２５は、図４、図６に示すように、扉３の閉扉状態では当接部材２７が竪枠２ａの端面２ｂに当接することで付勢部材２６に抗して吊元方向に没入移動され、ロック係合片２８とロック係合溝１１ａとの係合が解除状態とされる。また、図１３、図１４に示すように、操作ハンドル５を一方の揺動端位置Ｂに揺動し扉３を開放状態とし、かつ操作ハンドル５が中間位置Ａに戻しばね２９により戻されると、ロック部材２５は付勢部材２６によって戸先方向に突出移動し、ロック係合片２８がロック係合溝１１ａと係合状態とされる。このロック部材２５の出没時及び操作ハンドル５の操作時には、第２軸部材１７と第３軸部材２０が夫々第１貫通長孔２５ａと第２貫通長孔２５ｂに対して相対移動するので、ロック部材２５は、押戻し部材１６とカム体１１に対して出没方向に相対移動することとなる。
【００２０】
上記のように構成されたラッチ機構４を備えた扉３の閉鎖装置１の動作について説明する。扉３が扉枠２から開放されている時には、竪枠２ａのフック部材６はバネ部材８によって先端６ａが扉３側に突出している。扉３に設けた操作ハンドル５は、戻しばね２９により中間位置Ａとされており、付勢部材２６により竪枠２ａ側に突出されたロック部材２５のロック係合片２８がロック係合溝１１ａと係合して中立位置Ａに保持されており、扉３に対して回動が阻止されている。また、係合部材７は、通常の係止位置Ｐ１にある。先ず、この開扉状態において、扉３を閉鎖回転させる。扉３が閉鎖位置に近づくと、扉３の端面３ａによって、フック部材６が竪枠２ａ内側に押し付けられ、かつロック部材２５先端の当接部材２７が扉枠２の端面２ｂに押し付けられロック部材２５が吊元方向に向けて没入移動していき、扉３の閉鎖移動途中でロック係合片２８とロック係合溝１１ａとの係合が解除される。この閉扉途中のロック係合片２８とロック係合溝１１ａとの係合の解除状態では、操作ハンドル５は戻しばね２９の付勢力によって中立位置Ａに保持されている。その後、図４に示すように、扉３が閉鎖位置に移動すると、押し付けられていたフック部材６がバネ部材８によって扉３側に突出し、フック部材６の先端６ａが係合部材７の係合部７ａに係合することで、扉３の通常閉鎖が行われる。
【００２１】
次に、扉３の通常閉鎖状態から扉３を開放させる場合について説明する。図４に示すように、中立位置Ａにある操作ハンドル５を一方の揺動端位置Ｂに揺動することで、カム体１１を回動させる。カム体１１の回動により、作動カム１５を介して押戻し部材１６が扉３の戸先方向に移動する。すると、押戻し部材１６の押戻し平面１６ａによって、フック部材６が竪枠２ａ内側に押し付けられ、フック部材６と係合部材７との係合が解除される。また、カム体１１が回動しても動作カム１２と係合部材７とが係合せず、通常の係止位置Ｐ１にある係合部材７は回動しない。その後、一方の揺動端位置Ｂにある操作ハンドル５を、扉３の開扉方向に引く（押す）ことで、扉３を開放させることができる。扉３が竪枠２ａから離れ開放状態となると、竪枠２ａとの当接によって扉３内に没入状態とされていたロック部材２５が付勢部材２６によって付勢され戸先方向に突出状態となる。そして、戻しばね２９によって操作ハンドル５が一方の揺動端位置Ｂから中立位置Ａに戻ると、カム体１１のロック係合溝１１ａにロック部材２５のロック係合片２８が係合し、操作ハンドル５が中立位置Ａに保持され、操作ハンドル５の扉３に対する回動が阻止される。
【００２２】
次に、扉３の通常閉鎖状態から扉３を扉枠２に押し付けて気密性や防音性を高くする場合について説明する。図４に示すように、中立位置Ａにある操作ハンドル５を閉鎖側へ押して他方の揺動端位置Ｃに揺動することで、カム体１１を回動させる。カム体１１の回動により、作動カム１５を介して押戻し部材１６が扉３の吊元方向に移動する。そして、カム体１１の回動により、第１突起部１２ａと係合部材側面７ｂとが係合して、扉３を扉枠２に設けたパッキン部材２３に押し付けるように、係合部材７をフック部材６に対して回転移動させる。すると、係合部材７とフック部材６との係合部を支点として扉３がパッキン部材２３に押し付けられ、扉押付け位置に回動された係合部材７の吊元側の係止部７ｄに逆止部材１３ａが嵌り込み、係合部材７はその位置Ｐ２に保持（ロック）され、扉３を扉枠２に押付状態とすることができる（図１１）。
【００２３】
次に、扉３を扉枠２に押し付けた状態から扉３を開放させる場合について説明する。図４に示すように、他方の揺動端位置Ｃにある操作ハンドル５を開放側へ引いて一方の揺動端位置Ｂに向けて揺動し、カム体１１を回動させる。カム体１１の回動により、解除部材２４の解除傾斜面２４ａが逆止部材１３ａの解除部１３ｂを押圧し、逆止部材１３ａを吊元方向へ移動させる。すると、係合部材７と逆止部材１３ａとの係止が解除され、第２突起部１２ｂが係合部材側面７ｃを押し、係合部材７は回動して通常の係止位置Ｐ１となり、扉３は通常の閉鎖状態となる。そして、前記扉３の通常閉鎖状態から扉３を開放させる場合と同様に、フック部材６と係合部材７との係合が解除され、扉３を開放することができる。従って、ハンドルを回転させることが困難な者であっても、操作ハンドル５を前後揺動（押し引き）することで、通常閉鎖の扉３を開放させることや、通常閉鎖の扉３を扉枠２に押付状態とすることや、押付状態の扉３を開放することが可能となる。
【００２４】
【発明の効果】
請求項１の発明は、扉の先端部に係合部材を回動可能に設けると共に操作ハンドルを押し引き回動可能に設け、係合部材と操作ハンドルを閉扉状態で操作ハンドルの押し操作により係合部材を回動させてフック部材との係合部を支点にして扉を扉枠に押し付け可能に連繋し、更に、扉の先端部には扉押付け位置に回動された係合部材に係合して戻り回動を逆止する逆止部材を設け、操作ハンドルには引き操作により逆止部材の逆止を解除可能な解除部材を設けたので、扉を閉じて操作ハンドルを押すことで扉を扉枠に押し付けた状態に維持でき、また、扉を開くために操作ハンドルを引くことで扉の押し付け状態を解除して扉を開くことができ、操作ハンドルを押し引きする簡単な操作によって扉の閉鎖引寄や開放を行うことができ、子供や老人であっても容易に操作できる。また、逆止部材が係合部材の戻り回動を逆止することで扉の押し付け状態を維持し、その逆止部材の逆止を操作ハンドルの解除部材が解除することで扉の押し付け状態を解放するようにしたので、操作ハンドルを押して扉を扉枠に押し付ける簡易な操作でその押し付け状態を確実に維持でき、しかも、操作ハンドルを小さな力で引くことで扉の押し付け状態を楽に解放することができて便利である。
【００２５】
請求項２の発明は、扉の開放状態でロック部材のロック係合部が操作ハンドルのロック係合部に係合して操作ハンドルの回動を阻止し、扉の閉鎖状態でロック部材のロック係合部が操作ハンドルのロック係合部から離脱して操作ハンドルの回動を許すようにしたので、扉の開放状態では操作ハンドルの回動操作により逆止部材が係合部材に係合する誤操作を阻止でき、扉の閉鎖状態では操作ハンドルを押し引き回動でき、扉の閉鎖引寄や開放操作を確実に行うことができる。
【００２６】
請求項３の発明は、扉の先端部に回動可能に設けた係合部材の他端部に係止部を設け、扉に設けた逆止部材の先端部に逆止部と解除部を設け、逆止部が係合部材の係止部に係合して係合部材の戻り回動を逆止し、操作ハンドルの解除部材が解除部に係合して係合部材の逆止を解除するようにしたので、扉の押し付け状態の維持及び解放を簡易な機構により安価に実施できる。
【００２７】
請求項４の発明は、扉の先端部にフック部材を押戻す押戻し部材をフック部材に対して遠近移動可能に設け、操作ハンドルの引き操作により押戻し部材が扉枠方向へ移動してフック部材を押戻すようにしたので、操作ハンドルの簡単な押し引き操作によって扉の閉鎖、解放を確実に行うことができる。
【００２８】
請求項５の発明は、操作ハンドルを戻しばねによって中間位置に戻すようにしたので、操作ハンドルを押し引き回動させた状態で手を放しても操作ハンドルを中間位置に戻すことができ、操作ハンドルによる扉の閉鎖引寄や解放操作を簡易迅速に行うことができて便利である。
【図面の簡単な説明】
【図１】本発明の閉鎖装置を備えた扉枠に開閉自在に蝶着された扉である。
【図２】図１のＰ部の詳細図である。
【図３】図２のＩＩＩ−ＩＩＩ線断面図である。
【図４】図２のＩＶ−ＩＶ線断面図である。
【図５】戻しばねを省略した図２のＶ−Ｖ線断面図である。
【図６】戻しばねを省略した図２のＶＩ−ＶＩ線断面図である。
【図７】図２のＶＩＩ−ＶＩＩ線断面図である。
【図８】操作ハンドルを解除位置にしたときの押戻し部材によるフック部材の押戻しを示す説明図である。
【図９】操作ハンドルを解除位置にしたときの係合部材とフック部材との係合の解除を示す説明図である。
【図１０】操作ハンドルを扉押付位置にしたときの各部材の位置関係を示す説明図である。
【図１１】操作ハンドルを扉押付位置にしたときのフック部材と係合部材と逆止部材の関係を示す説明図である。
【図１２】係合部材と逆止部材の拡大図である。
【図１３】扉開放時のロック部材による操作ハンドルのロック状態を示す説明図である。
【図１４】扉開放時のロック部材による操作ハンドルのロック状態を示す縦断面図である。
【符号の説明】
１  閉鎖装置
２  扉枠
３  扉
４  ラッチ機構
５  操作ハンドル
６  フック部材
７  係合部材
７ａ  係合部
７ｄ  係止部
１１ａ，２８  ロック係合部
１３ａ  逆止部材
１３ｂ  逆止部
１３ｃ  解除部
１６  押戻し部材
２４  解除部材
２５  ロック部材
２７  当接部材
２９  戻しばね
Ａ  中間位置
Ｐ２  扉押付け位置
【図１】
2004270139.tif 000003
【図２】
2004270139.tif 000004
【図３】
2004270139.tif 000005
【図４】
2004270139.tif 000006
【図５】
2004270139.tif 000007
【図６】
2004270139.tif 000008
【図７】
2004270139.tif 000009
【図８】
2004270139.tif 000010
【図９】
2004270139.tif 000011
【図１０】
2004270139.tif 000012
【図１１】
2004270139.tif 000013
【図１２】
2004270139.tif 000014
【図１３】
2004270139.tif 000015
【図１４】
2004270139.tif 000016